(57)【要約】【課題】家計簿の記帳をパーソナルコンピュータ等の計算機により行う際の操作を簡略化する。【解決手段】ふりがなと品名の関連付けをあらかじめ登録しておき、ふりがなの一部を入力した際に、そのふりがなで始まる品名の候補をプルダウンメニューに表示し、そこから選択させる。また、品名と分類属性の関連付けをあらかじめ登録しておき、品名の入力と同時に分類属性も自動的に入力する。これらにより家計簿記帳時の操作手順を簡略化する。【選択図】　図４
2004145840.tif 000002
【特許請求の範囲】
【請求項１】
家庭でよく使われる品名と、そのふりがなの関連付けを登録しておき、ふりがなの一部をデータ入力装置から入力すると、品名の候補をリストで表示し、また、そのリストから品名を選択することで、入力操作を簡素化する家計簿作成方法、およびそれを利用したコンピュータプログラム。
【請求項２】
あらかじめ定義された分類属性と、家庭でよく使われる品名との関連付けを登録しておき、データ入力装置より入力された品名から自動的に分類属性を付加することで、入力操作を簡素化する家計簿作成方法、およびそれを利用したコンピュータプログラム。
【発明の詳細な説明】
【０００１】
【発明の属する技術分野】
本発明は、家計簿の記帳をパーソナルコンピュータ等の計算機により行う際の家計簿記帳作業の簡素化を図った家計簿作成方法、およびそれを利用したコンピュータプログラムに関する。
【０００２】
【従来の技術】
家計簿の記帳をパーソナルコンピュータ等の計算機により行う場合において、品名を入力する際は、膨大な品名の一覧から選んで入力するか、漢字入力装置によって完全な品名を入力していた。また、分類属性は家計簿において家計管理を行う上で必須の項目であるが、従来では１件の記帳ごとに、品名・金額・分類属性をそれぞれ別個に入力していた。
【０００３】
【発明が解決しようとする課題】
上記したように従来のパーソナルコンピュータ等の用いた家計簿の記帳作業において、品名の入力の際には、膨大な品名一覧からの目当ての品名を探すか、あるいは、漢字入力装置によって完全な品名を入力する必要があったため、家計簿の記帳作業に多くの時間と労力を要し、作業能率が悪かった。
【０００４】
また、分類属性の設定も、分類属性を１件の記帳ごとに別個に設定するために、家計簿の記帳作業に多くの時間と労力を要し、作業能率が悪かった。
【０００５】
本発明は上記の問題を解決するために、家計簿の記帳作業におけるデータ入力手順の簡素化を図り、以って家計簿の記帳作業を容易かつ迅速に行うことのできる家計簿作成システム、家計簿作成方法、および家計簿を作成するためのコンピュータプログラムを記録した媒体を提供することを目的とする。
【０００６】
【課題を解決するための手段】
本発明は、家庭でよく購入される品名とふりがなの関連付けをあらかじめ登録しておくことで、記帳データ入力処理を表示装置および入力装置を用いて行う家計簿作成処理において、ふりがなの一部を入力すると、そのふりがなに関連する品名の候補を、入力位置の下部にプルダウンメニュー（品名一覧）として表示し、品名を選んで入力することができることで、入力操作手順を簡素化したことを特徴とする。
【０００７】
また、本発明は、家計簿の記帳時に煩雑かつ時間の掛かる作業の軽減を図ったもので、具体的には、品名と分類属性を関連付けをあらかじめ登録しておくことで、記帳データ入力処理を表示装置および入力装置を用いて行う家計簿作成処理において、品名の入力にともなって自動的に分類属性を適用することを特徴とする。
【０００８】
【発明の実施形態】
以下図面を参照して本発明の実施形態を説明する。図１は家計簿の記帳データの概念図である。１は品名、２は金額、３は日付であり、何を買ったか、いくらで買ったか、いつ買ったかという３つの情報は、記帳データの基本要素である。また、どの支出項目にいくら支払ったかを管理する目的のために、分類属性（図中の４）の項目がある。
【０００９】
図２は図１で示す項目を入力する、すなわち家計簿を記帳する操作の流れを示したものであり、品名（図２の６）、金額（図２の７）、日付（図２の５）、分類属性（図２の８）を逐次入力する作業を繰り返す。
【００１０】
上記の図２で示す流れの中で、本発明は図２の６のステップの品名を入力する操作を補助し、また、図２の８の分類属性を品名から自動的に設定することで、分類属性の入力操作を不要にする家計簿記入方法である。
【００１１】
図３は品名の入力を補助する処理の流れを示すフローチャートである。家計簿が入力可能な状態にあるとき、図３の９と１０で示すように入力待ち状態にあり、キーボード、マウス等入力装置１１による操作を受け付ける。入力装置からの操作を受け付けたとき、図３の１２において、文字列の入力か選択操作かを判断し、文字列の入力がなされた場合は１３へ進む。
【００１２】
図３の１３では、ふりがなと品名を関連付けたデータベース１５を検索して、入力された文字列がふりがなの先頭から一致する品名を抽出して、表示装置１４に候補として表示して、再び入力待ち状態（図３の９と１０）に戻る。
【００１３】
入力装置１１により、さらに文字列が追加された場合は、再び１２〜１４の処理を繰り返して、さらに品名の候補を絞り込む。一方、入力装置１１により、候補の選択操作がなされた場合、図３の１２から１６へと進み、品名が決定されて品名欄１７に設定される。
【００１４】
このように、図３のフローチャートで示す処理により、品名の読みの先頭の一部を入力することで、品名の候補を表示し、それらから選ぶことで、品名入力の手間を省略することができる。
【００１５】
図４は、図２の８の分類属性を品名から自動的に設定することで、分類属性の入力操作を不要にする流れを示すフローチャートである。
【００１６】
図４の１８は、キーボード、マウス等入力装置を示し、図３のフローチャートで示す方法の他、文字列を直接入力する方法、または、他のソフトウエアよりデータを読み込む方法によっても、品名を入力することができる。入力された品名は品名欄１７に設定される。
【００１７】
品名欄１７に品名が設定されたとき、図４の１９では品名と分類属性を関連付けたデータベース２０を検索して、品名に該当する分類属性を決定する。決定した分類属性は、分類属性欄２１に設定する。
【００１８】
図４のフローチャートに示す処理により、図２の８で示した操作手順を省略することができ、家計簿における記帳操作の手間を削減することができる。
【００１９】
図５〜８は本発明の実施形態であるコンピュータプログラムの動作を模式的に示したものである。
【００２０】
図５は図３の９および１０で示す入力待ち状態を表す。図中２２は品名欄であり、２３は分類属性を設定する分類欄である。
【００２１】
図６は品名欄にふりがなの一部が入力され、該当する品名の候補が表示された状態（図３の１２、１３、１４の結果）を示す。品名欄２２には「み」が入力され、プルダウンメニュー２４には、ふりがなが「み」で始まる品名の候補が表示されている。
【００２２】
図７はふりがなに「か」を追加した状態を示す。品名欄２２には「みか」と入力されており、プルダウンメニュー２４には、ふりがなが「みか」で始まる品名の候補が表示されている。
【００２３】
図８はプルダウンメニューから「ミカン」を選んだ状態（図３の１６、１７の結果）を示す。品名欄２２には「ミカン」と表示される。また、「ミカン」の選択と同時に、図４の１９〜２１の処理が実行され、図８の分類欄２３に示すように、分類属性が適用される。
【００２４】
【発明の効果】
以上詳記したように本発明によれば、家計簿記帳作業におけるデータ入力手順の簡素化を図り、家計簿記帳作業を容易かつ迅速に行うことができる家計簿作成方法、およびそれを利用したコンピュータプログラムを提供できる。
【図面の簡単な説明】
【図１】家計簿の記帳データの概念図である。
【図２】家計簿の記帳操作を示すフローチャートである。
【図３】品名の入力を補助する仕組みを示すフローチャートである。
【図４】品名から分類属性を自動的に決定する仕組みを示すフローチャートである。
【図５】コンピュータプログラムの動作を示す図のうち、入力待ち状態を示す図である。
【図６】コンピュータプログラムの動作を示す図のうち、品名のふりがなの１文字が入力された状態を示す図である。
【図７】コンピュータプログラムの動作を示す図のうち、品名のふりがなの２文字が入力された状態を示す図である。
【図８】コンピュータプログラムの動作を示す図のうち、品名が決定し、分類属性が自動的に割り当てられた状態を示す図である。
【図１】
2004145840.tif 000003
【図２】
2004145840.tif 000004
【図３】
2004145840.tif 000005
【図４】
2004145840.tif 000006
【図５】
2004145840.tif 000007
【図６】
2004145840.tif 000008
【図７】
2004145840.tif 000009
【図８】
2004145840.tif 000010